(57)【要約】【課題】  著名人とファンの両者が満足できるチャットを制御する情報処理装置を提供する。【解決手段】少なくとも開催日時と開催者識別子とを読み出して提示し、入札金額を参加者端末３から受信して参加者識別子に関連づけて記憶し、入札希望額に近い入札金額が設定された参加者識別子を抽出しチャット参加者識別子として記憶するチャット入札受付部１１ｂと、ハーフチャットに参加するハーフチャット参加者の情報を参加者端末から受信し、ハーフチャット参加者の参加者識別子をハーフチャット参加者識別子として記憶するハーフチャット受付部１１ｃと、開催者端末２から受信した発言データ及びチャット参加者の参加者端末３から受信した発言データを、開催者端末２、チャット参加者の端末及びハーフチャット参加者の端末に送信するチャット制御部１１ｄを備える。【選択図】図１
2005141697.tif 000002
【特許請求の範囲】
【請求項１】
チャットを開催するチャット開催者の有する開催者端末と、前記チャットに参加する参加者の有する参加者端末とを仲介する情報処理装置において、
前記開催者端末及び前記参加者端末とデータの送受信を行う通信制御装置と、
前記通信制御装置を介して送受信された前記データを処理する制御装置と、
前記開催者を識別する開催者識別子に関連づけて、前記開催者の開催者情報を記憶する開催者情報記憶装置とを備え、
前記制御装置は、
前記開催者端末から前記チャットを開催する開催日時と、前記開催者に前記チャットに参加するチャット参加者の権利を提供する入札希望額を含む開催情報を取得し、前記開催者情報記憶装置を参照して前記開催者識別子に関連づけて開催情報記憶装置に記憶するチャット開催受付部と、
少なくとも前記開催者情報記憶装置に記憶された前記開催日時と前記開催者識別子とを読み出して提示し、前記権利を希望する前記参加者によって設定される入札金額を前記参加者端末から受信して前記参加者識別子に関連づけて記憶し、前記入札希望額に等しい或いは最も近い入札金額が設定された前記参加者識別子を抽出し前記チャット参加者識別子として記憶するチャット入札受付部と、
複数の前記参加者端末からの投票によって前記チャットにおける発言を決定するハーフチャットに参加するハーフチャット参加者の情報を前記参加者端末から受信し、前記ハーフチャット参加者の前記参加者識別子をハーフチャット参加者識別子として記憶するハーフチャット受付部と、
前記チャット開催受付部、前記チャット入札受付部及び前記ハーフチャット受付部において記憶された前記開催者識別子、前記チャット参加者識別子及び前記ハーフチャット参加者識別子に基づいて認証し、前記開催者端末から受信した発言データ及び前記チャット参加者の前記参加者端末から受信した発言データを、前記開催者端末、前記チャット参加者の参加者端末及び前記ハーフチャット参加者の参加者端末に送信するとともに、前記ハーフチャット参加者の参加者端末から受信した投票データを集計して前記開催者端末及び前記ハーフチャット参加者の参加者端末に送信し、前記開催者端末において選択された投票データ及び該投票データに対する返答データを前記開催者端末、前記チャット参加者の参加者端末及び前記ハーフチャット参加者の参加者端末に送信するチャット制御部
を備えることを特徴とする情報処理装置。
【請求項２】
チャットを開催するチャット開催者の有する開催者端末と、前記チャットに参加する参加者の有する参加者端末とを仲介する情報処理装置によって実現される情報処理方法において、
前記情報処理装置の制御装置におけるチャット開催受付部によって、前記開催者端末から前記チャットを開催する開催日時と、前記開催者に前記チャットに参加するチャット参加者の権利を提供する入札希望額を含む開催情報を取得し、前記開催者を識別する開催者識別子に関連づけて開催情報記憶装置に記憶するステップと、
前記制御装置のチャット入札受付部によって、少なくとも開催者情報記憶装置に記憶された前記開催日時と前記開催者識別子とを読み出して提示し、前記権利を希望する前記参加者によって設定される入札金額を前記参加者端末から受信して前記参加者識別子に関連づけて記憶し、前記入札希望額に等しい或いは最も近い入札金額が設定された前記参加者識別子を抽出し前記チャット参加者識別子として記憶するステップと、
前記制御装置のハーフチャット受付部によって、複数の前記参加者端末からの投票によって前記チャットにおける発言を決定するハーフチャットに参加するハーフチャット参加者の情報を前記参加者端末から受信し、前記ハーフチャット参加者の前記参加者識別子をハーフチャット参加者識別子として記憶するステップと、
前記制御装置のチャット制御部によって、前記チャット開催受付部、前記チャット入札受付部及び前記ハーフチャット受付部において記憶された前記開催者識別子、前記チャット参加者識別子及び前記ハーフチャット参加者識別子に基づいて認証し、前記開催者端末から受信した発言データ及び前記チャット参加者の前記参加者端末から受信した発言データを、前記開催者端末、前記チャット参加者の参加者端末及び前記ハーフチャット参加者の参加者端末に送信するとともに、前記ハーフチャット参加者の参加者端末から受信した投票データを集計して前記開催者端末及び前記ハーフチャット参加者の参加者端末に送信し、前記開催者端末において選択された投票データ及び該投票データに対する返答データを前記開催者端末、前記チャット参加者の参加者端末及び前記ハーフチャット参加者の参加者端末に送信するステップ
を備えることを特徴とする情報処理方法。
【発明の詳細な説明】
【技術分野】
【０００１】
本発明は、チャットを開催するチャット開催者の有する開催者端末と、前記チャットに参加する参加者の有する参加者端末とを仲介する情報処理装置及び情報処理方法に関する。本発明における「チャット」とは、通信ネットワークを通じてリアルタイムに文字ベースの会話を行うシステムで、音声、動画などのマルチメディアデータを介して会話する場合もある。
【背景技術】
【０００２】
近年のインターネットなどの通信ネットワークの普及に伴い、タレント、アイドル、スポーツ選手、文化人などの著名人は、通信ネットワークを介してそのファンとコミュニケーションを取ることが頻繁に行われている。
【０００３】
例えば、ファンが著名人とのコンタクトを気楽にはかることができ、著名人とファンとのコミュニケーションの促進を可能とし、更に著名人のビジネスチャンスを拡大することができる仲介システムがある。（例えば特許文献１）。この特許文献１に記載のシステムは、ファン同士更に著名人とそのファンが直接チャットを楽しめるコミュニティーサーバーを備えている。
【０００４】
しかし、特許文献１に記載のシステムにおいて行われるチャットは、単に著名人とファンがチャットできるものの、その具体的システムは開示されておらず、一般的なチャットであると考えられる。一般なチャット機能で著名人と会話する場合、著名人は複数のファンと会話することになり、ファンから著名人への質問が集中する問題点がある。この様な場合、著名人は、多数のファンからの質問にそれぞれ答えることは困難であり、更に一部の質問のみに答えると、著名人から返答がなかったファンは不満が残ることになる。
【０００５】
この様に、著名人とチャットする場合、従来と同じチャットシステムを導入しても、著名人とファンの両者が満足するものではなかった。
【特許文献１】特開２００２−３２８９９４号公報
【発明の開示】
【発明が解決しようとする課題】
【０００６】
これらの問題点に鑑み、著名人とファンと両者が満足するチャットシステムの開発が求められている。著名人とファンとの両者が満足することにより、著名人は良好なファンサービスを提供することができる。一方ファンは著名人とコミュニケーションを取ることにより、著名人への興味を深め、強いては著名人のビジネス市場を拡大することができる。
【０００７】
従って本発明の目的は、著名人とファンの両者が満足できるチャットを制御する情報処理装置及び情報処理方法を提供することである。
【課題を解決するための手段】
【０００８】
上記課題を解決するために、本発明の第１の特徴に係る情報処理装置は、チャットを開催するチャット開催者の有する開催者端末と、チャットに参加する参加者の有する参加者端末とを仲介する情報処理装置において、開催者端末及び参加者端末とデータの送受信を行う通信制御装置と、通信制御装置を介して送受信されたデータを処理する制御装置と、開催者を識別する開催者識別子に関連づけて、開催者の開催者情報を記憶する開催者情報記憶装置とを備え、制御装置は、開催者端末からチャットを開催する開催日時と、開催者にチャットに参加するチャット参加者の権利を提供する入札希望額を含む開催情報を取得し、開催者情報記憶装置を参照して開催者識別子に関連づけて開催情報記憶装置に記憶するチャット開催受付部と、少なくとも開催者情報記憶装置に記憶された開催日時と開催者識別子とを読み出して提示し、権利を希望する参加者によって設定される入札金額を参加者端末から受信して参加者識別子に関連づけて記憶し、入札希望額に等しい或いは最も近い入札金額が設定された参加者識別子を抽出しチャット参加者識別子として記憶するチャット入札受付部と、複数の参加者端末からの投票によってチャットにおける発言を決定するハーフチャットに参加するハーフチャット参加者の情報を参加者端末から受信し、ハーフチャット参加者の参加者識別子をハーフチャット参加者識別子として記憶するハーフチャット受付部と、チャット開催受付部、チャット入札受付部及びハーフチャット受付部において記憶された開催者識別子、チャット参加者識別子及びハーフチャット参加者識別子に基づいて認証し、開催者端末から受信した発言データ及びチャット参加者の参加者端末から受信した発言データを、開催者端末、チャット参加者の参加者端末及びハーフチャット参加者の参加者端末に送信するとともに、ハーフチャット参加者の参加者端末から受信した投票データを集計して開催者端末及びハーフチャット参加者の参加者端末に送信し、開催者端末において選択された投票データ及び該投票データに対する返答データを開催者端末、チャット参加者の参加者端末及びハーフチャット参加者の参加者端末に送信するチャット制御部を備える。
【０００９】
本発明の第１の特徴に係る情報処理装置によれば、チャット開催者である著名人は、チャットを落札したチャット参加者に１対１のチャットを提供することができ、更にそれ以外のハーフチャット参加者に１対多数のチャットを提供することにより大勢のファンの意見を集めることができる。これにより、著名人、チャット参加者、ハーフチャット参加者の三者が満足するチャットシステムを提供することができる。
【００１０】
本発明の第２の特徴に係る情報処理方法は、チャットを開催するチャット開催者の有する開催者端末と、チャットに参加する参加者の有する参加者端末とを仲介する情報処理装置によって実現される情報処理方法において、情報処理装置の制御装置におけるチャット開催受付部によって、開催者端末からチャットを開催する開催日時と、開催者にチャットに参加するチャット参加者の権利を提供する入札希望額を含む開催情報を取得し、開催者を識別する開催者識別子に関連づけて開催情報記憶装置に記憶するステップと、制御装置のチャット入札受付部によって、少なくとも開催者情報記憶装置に記憶された開催日時と開催者識別子とを読み出して提示し、権利を希望する参加者によって設定される入札金額を参加者端末から受信して参加者識別子に関連づけて記憶し、入札希望額に等しい或いは最も近い入札金額が設定された参加者識別子を抽出しチャット参加者識別子として記憶するステップと、制御装置のハーフチャット受付部によって、複数の参加者端末からの投票によってチャットにおける発言を決定するハーフチャットに参加するハーフチャット参加者の情報を参加者端末から受信し、ハーフチャット参加者の参加者識別子をハーフチャット参加者識別子として記憶するステップと、制御装置のチャット制御部によって、チャット開催受付部、チャット入札受付部及びハーフチャット受付部において記憶された開催者識別子、チャット参加者識別子及びハーフチャット参加者識別子に基づいて認証し、開催者端末から受信した発言データ及びチャット参加者の参加者端末から受信した発言データを、開催者端末、チャット参加者の参加者端末及びハーフチャット参加者の参加者端末に送信するとともに、ハーフチャット参加者の参加者端末から受信した投票データを集計して開催者端末及びハーフチャット参加者の参加者端末に送信し、開催者端末において選択された投票データ及び該投票データに対する返答データを開催者端末、チャット参加者の参加者端末及びハーフチャット参加者の参加者端末に送信するステップを備える。
【発明の効果】
【００１１】
本発明によれば、著名人とファンの両者が満足できるチャットを制御する情報処理装置及び情報処理方法を提供することができる。
【００１２】
る。
【発明を実施するための最良の形態】
【００１３】
次に、図面を参照して、本発明の実施の形態を説明する。以下の図面の記載において、同一又は類似の部分には同一又は類似の符号を付している。
【００１４】
図１に示すように、本発明の最良の実施の形態に係る情報処理システムは、チャットを開催するチャット開催者の有する開催者端末２と、チャットに参加する参加者の有する参加者端末３ａ、３ｂと、開催者端末２と参加者端末３ａ、３ｂとを仲介する情報処理装置１とを備える。情報処理装置１、開催者端末２、参加者端末３ａ、３ｂは、コンピュータ、ＰＤＡ、携帯電話機などの一般的な情報処理端末であり、インターネットなどの通信ネットワーク４を介して互いにデータの送受信が可能である。情報処理装置１はコンピュータに所定の処理を行うプログラムをロードすることにより実現されるのが好ましい。開催者端末２及び参加者端末３ａ、３ｂは、情報処理装置１と情報を送受信できるブラウザなどのアプリケーションを搭載している。開催者端末２としては、携帯性があり入出力も充実しているＰＤＡが好ましく、参加者端末３ａ、３ｂとしては、普及の著しい携帯電話機が好ましい。
【００１５】
情報処理装置１は、情報処理装置１で実現される処理を制御する制御装置（ＣＰＵ）１１、制御装置１１で実行されるプログラムが記憶されたプログラム記憶装置１２、制御装置１１で行われる処理において、データを一時的に記憶する一時記憶装置２１、キーボード、マウスなどの入力装置２３からの入力を制御装置１１に送信し制御装置１１からの出力をディスプレイなどの出力装置２４に出力する入出力制御装置２２、通信ネットワーク７４を介して開催者端末２及び参加者端末３ａ、３ｂとデータの送受信を行う通信制御装置２５を備えている。
【００１６】
更に情報処理装置１は、会員情報記憶装置１３、開催者情報記憶装置１４、開催情報記憶装置１５を備えている。これらの記憶装置は、それぞれ物理的に独立したディスクに記憶されても良いし、一つのディスクに記憶されても良いし、更にプログラム記憶装置１２と同じディスクに記憶されても良い。
【００１７】
会員情報記憶装置１３は、参加者を識別する参加者識別子に関連づけて、参加者の会員情報を記憶する記憶装置であり、例えば図２に示すようなデータ構造とデータが記憶されている。即ち、参加者を識別する参加者識別子である「ユーザＩＤ（参加者識別子）」、参加者を認証するための「パスワード」、参加者にチャット開催などの案内を送信する「メールアドレス」、このチャットサービスに料金を支払うための「決済口座」、参加者が好きな著名人のジャンルである「お気に入りジャンル」、参加者が好きな開催者である「お気に入り開催者」、参加者がサービスを受けるために保有している「保有ポイント」などのデータ項目を備える。ここで、「ジャンル」とは、著名人を分類するためのもので、スポーツ、エンターテイメント、アイドル、タレントなどのデータが割り当てられる。
【００１８】
開催者情報記憶装置１４は、開催者を識別する開催者識別子に関連づけて、開催者の開催者情報を記憶する記憶装置であり、例えば図３に示すようなデータ構造とデータが記憶されている。即ち、開催者を識別する開催者識別子である「開催者ＩＤ（開催者識別子）」、開催者の「名前」、開催者の属する「ジャンル」、チャットを開催した日時が記憶された「チャット開催履歴」、開催者が連絡を受けるための「メールアドレス」などのデータ項目を備える。
【００１９】
開催情報記憶装置１５は、開催されるチャットを識別する「開催番号」、チャットを開催する開催者の開催者識別子である「開催者ＩＤ」、「開催日時」、開催者が設定した「入札希望額」、このチャットに参加する権利を取得した参加者の参加者識別子である「落札者ＩＤ」、「落札者電話番号」、参加者を集めるのに有効な「開催者からのメッセージ」などのデータ項目を備える。
【００２０】
プログラム記憶装置１２には、チャット開催受付プログラム１２ａ、チャット入札受付プログラム１２ｂ、ハーフチャット受付プログラム１２ｃ、チャット制御プログラム１２ｄ、会員管理プログラム１２ｅなどが記憶されており、それぞれのプログラムが制御装置１１に読み込まれ実行されることによって、制御装置１１は、チャット開催受付部１１ａ、チャット入札受付部１１ｂ、ハーフチャット受付部１１ｃ、チャット制御部１１ｄ、会員管理部１１ｅが実現される。
【００２１】
チャット開催受付部１１ａは、開催者端末からチャットを開催する開催日時と、開催者にチャットに参加するチャット参加者の権利を提供する入札希望額を含む開催情報を取得し、開催者情報記憶装置１４を参照して開催者識別子に関連づけて開催情報記憶装置１５に記憶する手段である。
【００２２】
チャット入札受付部１１ｂは、少なくとも開催者情報記憶装置に記憶された開催日時と開催者識別子とを読み出して提示し、権利を希望する参加者によって設定される入札金額を参加者端末から受信して参加者識別子に関連づけて記憶し、入札希望額に等しい或いは最も近い入札金額が設定された参加者識別子を抽出しチャット参加者識別子として記憶する手段である。
【００２３】
ハーフチャット受付部１１ｃは、複数の参加者端末からの投票によってチャットにおける発言を決定するハーフチャットに参加するハーフチャット参加者の情報を参加者端末から受信し、ハーフチャット参加者の参加者識別子をハーフチャット参加者識別子として記憶する手段である。
【００２４】
ここでハーフチャットとは、ハーフチャット参加者が発言を投票し、開催者がその投票結果を参照して、返答する発言を選択し、選択した発言に対して返答するものである。返答の対象となる発言とその返答は、開催者、チャット参加者、ハーフチャット参加者に提示するログに掲載されるが、開催者による返答が決まっていない発言は、開催者とハーフチャット参加者のみが参照することができる。即ち、基本的には開催者とチャット参加者が１対１で会話を行い、ハーフチャット参加者は、開催者とチャット参加者のチャットを参照しつつ、開催者に発言をアピールするものである。開催者は、チャット参加者への返答は必須となるが、ハーフチャット参加者へは必ずしも返答しなくても良い。このハーフチャット機能を用いることにより、開催者は例えば「今までの曲で何が一番好きですか？」という質問をハーフチャット参加者に投げかけることにより、投票を行い、ファンの嗜好を把握することができる。
【００２５】
チャット制御部１１ｄは、開催者識別子、チャット参加者識別子及びハーフチャット参加者識別子に基づいて認証し、開催者端末から受信した発言データ及びチャット参加者の参加者端末から受信した発言データを、開催者端末、チャット参加者の参加者端末及びハーフチャット参加者の参加者端末に送信するとともに、ハーフチャット参加者の参加者端末から受信した投票データを集計して開催者端末及びハーフチャット参加者の参加者端末に送信し、開催者端末において選択された投票データ及び該投票データに対する返答データを開催者端末、チャット参加者の参加者端末及びハーフチャット参加者の参加者端末に送信する手段である。  
次に、図５及び図６を参照して、本発明の最良の実施の形態における処理のフローを説明する。
【００２６】
まず、ステップＳ１０１において、情報処理装置１のチャット開催受付部１１ａによって、開催者端末２から開催登録を受け付け、落札希望額や開催日時などを開催者識別子に関連づけて開催情報記憶装置１５に記憶する。
【００２７】
次に、ステップＳ１０１において、情報処理装置１のチャット入札受付部１１ｂは、参加者端末３ａ、３ｂに、ステップＳ１０１で登録されたチャットの開催に関する情報を送信し、ステップＳ１０３において、参加者端末３ａ、３ｂからの入札を受け付ける。ステップＳ１０４において、ステップＳ１０１で受信した落札希望額に最も近い金額で入札した参加者を、落札者として決定する。ここでは、参加者端末３ａの参加者が落札したと仮定する。
【００２８】
ステップＳ１０５において、情報処理装置１のチャット入札受付部１１ｂは、参加者端末３ａ、３ｂからの落札確認に応答し、落札者、落札に失敗した人それぞ〜Ｔれにメッセージを提示する。このとき、落札者には落札者の連絡先である落札者携帯電話番号を入力させ、開催情報記憶装置１５に記憶するのが好ましい。
【００２９】
更にステップＳ１０６において、開催者端末２から落札者の確認が行われると、情報処理装置１は開催情報記憶装置１５を参照して、落札者を確認し、開催者端末２に落札者の電話番号を提示する。
【００３０】
ステップＳ１０８において、チャットの開催日時の直前に、参加者端末３ａを確認する。好ましくは、開催者から参加者に確認のため電話をかける。これにより、開催者は参加者が確実に参加できることを確認し、参加者はチャットの相手がその著名人であることを確認することができる。
【００３１】
一方、ステップＳ１０９において、ハーフチャット受付部１１ｃは、参加者端末３ｂからハーフチャットの申込を受け付ける。ここでは、参加者端末３ｂからハーフチャットの申込がされたとする。
【００３２】
この様に、開催者、参加者、ハーフチャット参加者が決定されると、ステップＳ１１０において、チャット制御部１１ｄはチャットの制御を開始する。
【００３３】
チャットが開始されると、ステップＳ１５１において開催者端末２からの発言データを受信すると受信した発言データをチャットログに反映し、ステップＳ１５２において、そのチャットログを開催者端末２に送信する。同様に、参加者端末３ａからの発言データを受信すると受信した発言データをチャットログに反映し、そのチャットログを参加者端末３ａに送信する。この様に、開催者端末２及び参加者端末３ａからの発言データはチャットログに記録され、開催者端末２及び参加者端末３ａに常に最新のチャットログが送信される。
【００３４】
ここで最新のチャットログは一時記憶装置２１に記憶しても良いし、図示しない記憶装置に逐次記憶しても良い。
【００３５】
又、ステップＳ１５３において、開催者情報記憶装置１４に記憶された参加者端末３ａに電話をかけて参加者端末３ａにおいて、着信履歴を確認させても良い。即ち、この着信履歴をトリガーとしてステップＳ１５４において、参加者端末３ａから情報処理装置１への表示依頼を受信すると、ステップＳ１５５において、参加者端末３ａに最新のチャットログを送信することができる。
【００３６】
ここでは、開催者端末２及び参加者端末３ａから発言がある度にチャットログを送信する場合について説明したが、それぞれの端末で設定されたリロード時間間隔で、自動的に最新のチャットログを送信しても良い。
【００３７】
一方、ステップＳ１５６において、ハーフチャット参加者の参加者端末３ｂから自動或いは手動で表示依頼がされると、チャット制御部１１ｄは、最新のチャットログを参加者端末３ｂに送信する。
【００３８】
次に、図７（ａ）及び（ｂ）を参照して、ハーフチャット参加者による発言が反映される処理について説明する。
【００３９】
開催者端末２の画面は、後述する図９のチャットページＰ１１２及びＰ１１３に示すように、参加者端末３ａとのチャットログを提示するチャット部１０１と、ハーフチャット参加者の参加者端末３ｂに関する情報を提示するハーフチャット部１０２を備えている。
【００４０】
ハーフチャット参加者の参加者端末３ｂの画面には、後述する図１３のチャットページＰ２５３乃至Ｐ２５５に示すように、全てのハーフチャット参加者から発言され集計された投票データがリストに設定されたコンボボックスＣ２５１と、ハーフチャット参加者が新たに発言をするためのテキストボックスＴ２５１を備えている。
【００４１】
まず、図７（ａ）を参照して、ハーフチャット参加者による投票の処理を説明する。
【００４２】
ステップＳ２０１において、参加者端末３ｂから取得したデータがコンボボックスＣ２５１からの選択であるか、テキストボックスＴ２５１からの入力であるか判断する。
【００４３】
コンボボックスＣ２５１からの選択である場合、ステップＳ２０２において、選択された項目を１カウントアップして、投票データを更新する。一方、テキストボックスＴ２５１からの入力である場合、ステップＳ２０３において、入力されたテキストをコンボボックスＣ２５１のリストに追加して、投票データを更新する。このとき、ステップＳ２０３において追加された項目の初期カウントは１とする。この投票データは、
最後に、ステップＳ２０４において、参加者端末３ｂのコンボボックスＣ２５１のデータを更新し、更に、開催者端末２のハーフチャット部１０２を更新する。
【００４４】
次に、図７（ｂ）を参照して、開催者がハーフチャット参加者による投票データに対して返答する場合の処理について説明する。
【００４５】
ステップＳ２５１において、図７（ａ）で示したような処理で、情報処理装置１は、開催者端末２のハーフチャット部を更新すると、ステップＳ２５２において、開催者端末２において項目が選択され、そのデータが情報処理装置１に送信されるのを待機する。開催者からの項目の選択がなければ、ステップＳ２５１において、常にハーフチャット部を更新する。
【００４６】
ステップＳ２５２において開催者端末２において項目が選択されると、ステップＳ２５３において更に、開催者端末２から、選択された項目に対する返答を受信する。
【００４７】
最後に、ステップＳ２５４において、ステップＳ２５２で受信した選択された項目と、ステップＳ２５４で受信した返答とをチャットログに反映し、そのチャットログを開催者端末２のチャット部１０１に反映する。ここで反映されたチャットログは、参加者端末３ａ及び３ｂにも反映する。
【００４８】
次に図８乃至図１３を参照して、本発明の最良の実施の形態に係る情報処理装置１が提示する画面について説明する。  
情報処理装置１は、開催者端末２に図８及び図９に示すような画面を提示する。
【００４９】
まず情報処理装置１は開催者端末２に、開催者トップページＰ１０１を提示し、開催者に見たいページを選択させる。
【００５０】
開催者端末２において「開催登録」がクリックされると、チャットの開催に必要な情報を登録する開催登録ページＰ１０２を提示する。開催登録ページＰ１０２においては、開催者の開催者ＩＤ、パスワード、チャットの開始日時、入札希望額、開催者からのコメントなどを入力させ、登録ボタンＢ１０１がクリックされると、情報処理装置１は開催者ＩＤ及びパスワードを認証し、開催登録完了ページＰ１０３を提示する。ここには、開催登録ページＰ１０２で登録した情報が表示されている。情報処理装置１は、チャットの開催が登録されるのに伴い、参加者端末３ａ、３ｂにその情報を提示し、参加者端末３ａ、３ｂからの入札を受け付け、落札者を決定する。
【００５１】
次に開催者端末２において、開催者トップページＰ１０１の「落札者確認」がクリックされると、落札者確認認証ページＰ１０４において開催者の開催者ＩＤ及びパスワードを入力させて確認ボタンＢ１０２がクリックされると、情報処理装置１は、開催者ＩＤ及びパスワードを認証し、落札者が決定されている場合、落札者の電話番号が表示された落札者確認ページＰ１０５を開催者端末２に提示する。
【００５２】
一方開催者端末２において、開催者トップページＰ１０１の「チャットルーム」がクリックされると、チャット入室ページＰ１１１において開催者の開催者ＩＤ及びパスワードを入力させて認証ボタンＢ１１１がクリックされると、情報処理装置１は、開催者ＩＤ及びパスワードを認証し、チャットページＰ１１２を開催者端末２に提示する。チャットページＰ１１２は、参加者端末３ａとのチャットログを提示するチャット部１０１と、ハーフチャット参加者の参加者端末３ｂに関する情報を提示するハーフチャット部１０２を備えている。
【００５３】
チャットページＰ１１２のチャット部１０１において、テキストボックスＴ１１１に発言データが開催者によって入力され発言ボタンＢ１１２がクリックされると、チャットページＰ１１３が提示される。このチャットページＰ１１３において、入力された発言データが反映された最新のチャットログが表示される。この最新のチャットログでは、開催者端末２から送信された開催者発言部１０３と、チャットの権利を落札したチャット参加者発言部１０４とを備える。ここでは示さないが、開催者が選択したハーフチャット参加者からの投票データとその返答も、このチャット部１０１に表示されるのは勿論である。一方ハーフチャット部１０２においては、ハーフチャット参加者によって投票された投票データのうち上位数個を表示した投票結果部１０５と、新しくテキスト入力されたデータを表示した新着メッセージ部１０６を備えている。開催者がハーフチャット部１０２で返答する場合、投票結果部１０５及び新着メッセージ部１０６から開催者が返答する項目を選択し、テキストボックスＴ１１２にその返答を入力し、ハーフへボタンＢ１１３をクリックする。
【００５４】
予め定められたチャット時間を経過するとチャット終了となり、情報処理装置１は開催者端末２にチャット終了ページＰ１１４を提示する。
【００５５】
図１０及び図１１は、情報処理装置１が著名人とチャットする権利を落札したチャット参加者の参加者端末３ａに提示する画面である。
【００５６】
まず情報処理装置１は参加者端末３ａに、参加者トップページＰ２０１を提示し、チャット参加者に見たいページを選択させる。
【００５７】
参加者端末３ａにおいて「開催者情報」がクリックされると、チャットを開催する開催者を検索できる開催情報検索ページＰ２０２を提示する。開催情報検索ページＰ２０２において、氏名、ジャンルなどが指定され決定ボタンＢ２０１がクリックされると、検索条件に適合した開催者のリストを表示する開催情報選択ページＰ２０３を提示する。開催予定者のリストから開催者が選択され、詳細ボタンＢ２０２がクリックされると、開催情報表示ページＰ２０４が提示され、そこで開催日時、開催者からのメッセージを確認することができる。
【００５８】
次に参加者端末３ａにおいて、参加者トップページＰ２０１の「チャット入札」がクリックされると、チャットの入札に必要な情報を登録するチャット入札ページＰ２１１を提示する。チャット入札ページＰ２１１においては、参加者のユーザＩＤ、パスワード、入札するチャットのチャット開催者、入札金額を入力させ、入札ボタンＢ２０３がクリックされると、チャット入札完了ページＰ２１２を提示する。このチャット入札完了ページＰ２１２には、入札した参加者の入札結果を取得できる時間と入札札結果の取得方法を提示している。
【００５９】
次に参加者端末３ａにおいて、参加者トップページＰ２０１の「落札確認」がクリックされると、落札確認認証ページＰ２１１において参加者のユーザＩＤ及びパスワードを入力させて確認ボタンＢ２０４がクリックされると、情報処理装置１は、ユーザＩＤ及びパスワードを認証し、入札結果を表示した画面を提示する。
【００６０】
入札に成功していた場合、落札確認認証ページＰ２１１の確認ボタンＢ２０４がクリックされると、落札成功ページＰ２２２が提示され、ここで、チャットに使用する携帯電話番号を入力させる。ＹｅｓボタンＢ２０５がクリックされると落札者が決定し、Ｎｏボタンがクリックされるとキャンセルすることになる。ここで入力された携帯電話番号は、開催情報記憶装置１５に登録され、開催者とチャット参加者が事前にお互いを確認する電話連絡先、更にチャット参加者のリロードタイミングを通知するための連絡電話番号に利用される。
【００６１】
一方参加者端末３ａにおいて参加者トップページＰ２０１の「チャット入室」がクリックされると、チャット入室認証ページＰ２３１においてチャット参加者のユーザＩＤ、パスワード及びハンドルネームを入力させて認証ボタンＢ２３１がクリックされると、情報処理装置１は、ユーザＩＤ及びパスワードを認証し、チャット入室認証確認結果ページＰ２３２を参加者端末３ａに提示する。ここで入室ボタンＢ２３２がクリックされると、チャットページＰ２３３を提示する。チャットページＰ２３３には、テキストボックスＴ２３１が設けられており、このテキストボックスＴ２３１に入力され発言ボタンＢ２３３がクリックされると、チャットページＰ２３４のチャット部２３０に入力した発言データが反映されたチャット参加者発言部２３１を備える。
【００６２】
チャットページＰ２３４においてリロードリンクＬ２３１がクリックされると、チャット部２３０に最新のログが提示される。ここの最新のログにおいては、開催者から発言された開催者発言部２３２も更に備えている。このリロードリンクＬ２３１は情報処理装置１からの電話着信に基づいて行われても良いし、チャット参加者の意志で行われても良い。更に、チャットページＰ２３５においてリロードリンクＬ２３１がクリックされると、チャットページＰ２３６を提示する。このチャットページＰ２３６においては、ハーフチャット参加者による投票で決められ、更に開催者が返答した投票データがハーフチャット参加者発言部２３３に表示されている。即ちこの参加者端末３ａにおいては、ハーフチャット参加者の全ての投票データを参照することなく、開催者が返答した投票データとその返答のみを参照するのが好ましい。
【００６３】
チャットページＰ２３６においてテキストボックスＴ２３１に発言データが入力され発言ボタンＢ２３３がクリックされると、その発言データが反映されたチャット部２３０を備えるチャットページＰ２３７が提示される。
【００６４】
予め定められたチャット時間を経過するとチャット終了となり、情報処理装置１は参加者端末３ａにチャット終了ページＰ２３８を提示する。
【００６５】
図１２及び図１３は、情報処理装置１が投票によって発言が決定されるハーフチャット参加者の参加者端末３ｂに提示する画面である。
【００６６】
まず情報処理装置１は参加者端末３ｂに、参加者トップページＰ２０１を提示し、ハーフチャット参加者に見たいページを選択させる。
【００６７】
参加者端末３ｂにおいて「ハーフチャット申込」がクリックされると、情報処理装置１はハーフチャット申込ページＰ２４１を提示する。ハーフチャット申込ページＰ２４１において、ユーザＩＤ、パスワード、チャット開催者を選択させ、次へボタンＢ２４１がクリックされると、参加金額設定ページＰ２４２を提示する。ここでは参加する対価を選択し申込ボタンＢ２４２がクリックされると、ハーフチャット登録完了ページＰ２４３を提示する。
【００６８】
一方参加者端末３ｂにおいて参加者トップページＰ２０１の「ハーフチャット入室」がクリックされると、ハーフチャット入室認証ページＰ２５１においてハーフチャと参加者のユーザＩＤ、パスワードを入力させて認証ボタンＢ２５１がクリックされると、情報処理装置１は、ユーザＩＤ及びパスワードを認証し、ハーフチャット入室認証ページＰ２５２を提示する。ここで入室ボタンＢ２５２がクリックされると、チャットページＰ２５３を提示する。
【００６９】
チャットページＰ２５３には、コンボボックスＣ２５１とテキストボックスＴ２５１が設けられている。テキストボックスＴ２５１に発言され、投票／発言ボタンＢ２５３がクリックされると、情報処理装置１は、その発言をコンボボックスＣ２５１のリストに追加したコンボボックスデータＤ２５２に反映し、コンボボックスＣ２５１のコンボボックスデータＤ２５１のリストから選択されると、選択された項目を１カウントアップする。
【００７０】
コンボボックスＣ２５１には、カウントの高い発言を表示した頻出発言表示部２５１とその他の発言を表示した新着発言表示部２５２を備えている。頻出発言表示部２５１では、例えば上位３つの発言を表示し、チャット開催者から選択されやすいように、ハーフチャット参加者からの投票を集めることができる。開催者から返答のあった項目については、消去されるのが好ましい。又、新着発言表示部２５２には、所定の数を超える発言があった場合、カウントの少ない項目、発言されてから時間が経過された項目については消去されても良い。
【００７１】
ハーフチャット参加者によって投票され、開催者によって選択及び返答された項目については、チャットページＰ２５５に示すように、チャット部２５１にハーフチャット参加者発言部２５４を備えることになる。
【００７２】
上記のように、本発明の最良の実施の形態によって記載したが、この開示の一部をなす論述及び図面はこの発明を限定するものであると理解すべきではない。この開示から当業者には様々な代替実施の形態、実施例及び運用技術が明らかとなる。
【００７３】
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００７４】
【図１】本発明の最良の実施の形態に係る情報処理システムのシステム構成図と、情報処理装置の機能ブロック図である。
【図２】本発明の最良の実施の形態に係る会員情報記憶装置のデータ構造とデータの一例を示した図である。
【図３】本発明の最良の実施の形態に係る開催者情報記憶装置のデータ構造とデータの一例を示した図である。
【図４】本発明の最良の実施の形態に係る開催情報記憶装置のデータ構造とデータの一例を示した図である。
【図５】本発明の最良の実施の形態に係る情報処理方法の処理を示したシーケンス図である。（その１）
【図６】本発明の最良の実施の形態に係る情報処理方法の処理を示したシーケンス図である。（その２）
【図７】本発明の最良の実施の形態に係る情報処理方法におけるハーフチャットの処理を示したフローチャートである。
【図８】本発明の最良の実施の形態に係る情報処理装置が開催者端末に提示する画面の一例であ。（その１）
【図９】本発明の最良の実施の形態に係る情報処理装置が開催者端末に提示する画面の一例であ。（その２）
【図１０】本発明の最良の実施の形態に係る情報処理装置がチャット参加者の参加者端末に提示する画面の一例であ。（その１）
【図１１】本発明の最良の実施の形態に係る情報処理装置がチャット参加者の参加者端末に提示する画面の一例であ。（その２）
【図１２】本発明の最良の実施の形態に係る情報処理装置がハーフチャット参加者の参加者端末に提示する画面の一例であ。（その１）
【図１３】本発明の最良の実施の形態に係る情報処理装置がハーフチャット参加者の参加者端末に提示する画面の一例であ。（その２）
【符号の説明】
【００７５】
１…情報処理装置
２…開催者端末
３ａ，３ｂ…参加者端末
４…通信ネットワーク
１１…制御装置
１１ａ…チャット開催受付部
１１ｂ…チャット入札受付部
１１ｃ…ハーフチャット受付部
１１ｄ…チャット制御部
１１ｅ…会員管理部
１２…プログラム記憶装置
１２ａ…チャット開催受付プログラム
１２ｂ…チャット入札受付プログラム
１２ｃ…ハーフチャット受付プログラム
１２ｄ…チャット制御プログラム
１２ｅ…会員管理プログラム
１３…会員情報記憶装置
１４…開催者情報記憶装置
１５…開催情報記憶装置
２１…一時記憶装置
２２…入出力制御装置
２３…入力装置
２４…出力装置
２５…通信制御装置
【図１】
2005141697.tif 000003
【図２】
2005141697.tif 000004
【図３】
2005141697.tif 000005
【図４】
2005141697.tif 000006
【図５】
2005141697.tif 000007
【図６】
2005141697.tif 000008
【図７】
2005141697.tif 000009
【図８】
2005141697.tif 000010
【図９】
2005141697.tif 000011
【図１０】
2005141697.tif 000012
【図１１】
2005141697.tif 000013
【図１２】
2005141697.tif 000014
【図１３】
2005141697.tif 000015